(57)【要約】  予め決められた長さに取り出すためのロール状の医療用包帯製品であって、湿気不浸透性材料で形成され、湿気の進入を防止するため封止されている細長いスリーブ（１８）、及びスリーブ内に配置されて、使用まで湿気の進入が防止された細長い医療用包帯材料（１６）とを含む。医療用包帯材料は、発泡体層（１３）と発泡体層に付着した布地補強層（１４）を含む。反応システムが基材に含浸またはコーティングされ、実質的に湿気がない状態が保たれているときは安定状態を維持する。基材は、硬質の副木を形成するため、湿気に晒すと硬化する。【選択図】図１
2007530218.tif 000002
【特許請求の範囲】
【請求項１】
医療用に使用するため予め設定された適当な長さに取り出すことができるロール形の医療用包帯製品であって、
湿気不浸透性材料で形成された、湿気の進入を防止するために封止可能な細長いスリーブと、
当該スリーブと実質的に同じ長さで、スリーブの長さ方向に沿って一つの長さでスリーブ内に配置され、かつ使用時まで湿気の進入を封止する細長い医療用包帯材料で構成され、
該医療用包帯材料が以下を含み
（ａ）発泡体層で構成された基材と、
（ｂ）前記基材に含浸またはコートされ、実質的に湿気がない状態が保たれているときは安定した状態を維持し、十分な湿気に晒されると硬質の自己支持構造を形成するように硬化する反応システムと、
（ｃ）前記基材が、基材と患者の間に保護用パッド材料を配置するのに適合し、
（ｅ）予め設定された長さの包帯材料がスリーブ内から取り出された後、残されている包帯材料の基材の硬化を防止するため、湿気の進入を防止すべくスリーブを封止する再封止手段と、
で構成されていることを特徴とする医療用包帯製品。
【請求項２】
前記スリーブは、外側の耐裂性層と、中央のアルミホイル層と、内側の熱封止可能なプラスチック層とを含むアルミホイルラミネート層から構成されることを特徴とする請求項１記載の医療用包帯製品。
【請求項３】
前記発泡体は、ポリマー発泡体であることを特徴とする請求項１記載の医療用包帯製品。
【請求項４】
前記反応システムは、ポリイソシアネート、ポリオール、触媒及び安定剤との混合物から構成されることを特徴とする請求項３記載の医療用包帯製品。
【請求項５】
前記発泡体層に貼り付けられた布地補強層を含むことを特徴とする請求項１記載の医療用包帯製品。
【請求項６】
前記ロールは、医療用包帯材料を内部に備えたスリーブと、該スリーブがコイル状に巻かれて構成されていることを特徴とする請求項３記載の医療用包帯製品。
【請求項７】
包帯材料のコイルを内包する取出し容器を含むことを特徴とする請求項１記載の医療用包帯製品。
【請求項８】
布地補強層のいくつかの繊維が、包帯材料に剛性と安定性を与えるため発泡層に貫入していることを特徴とする請求項１記載の医療用包帯製品。
【請求項９】
医療用に使用するため予め設定された適切な長さにパッケージされた医療用包帯製品であって、
（ａ）湿気不浸透性材料で形成された湿気の進入を防止する封止可能なスリーブと、スリーブ内に配置され、使用まで湿気の進入を防止するため封止された医療用包帯材料とで構成され、
該医療用包帯材料が、布地補強層が付加された発泡層で形成された基材と、基材に含浸またはコートされた反応システムとで構成され、
該反応システムが、実質的に湿気がない状態が保たれているときは安定した状態を維持し、十分な湿気に晒されると硬質の自己支持構造を形成するように硬化するシステムであり、
（ｂ）該基材と患者の間に保護用パッド材料を配置するのに適合された前記基材と、からなることを特徴とする医療用包帯製品。
【請求項１０】
医療用に使用するため予め設定された適切な長さを有する医療用包帯製品が、
（ａ）湿気の進入を防止する封止可能な湿気不浸透性材料で形成された袋状物であって、
長尺で再封止可能かつ分割可能なスリーブを含み、袋内に配置された医療用包帯材料を有し、使用時まで湿気の進入を封止している袋状物と、
（ｂ）発泡層と布地補強層とで形成された基材を含む医療用包帯材料であって、
該基材に反応システムが含浸またはコートされ、
該反応システムが、実質的に湿気がない状態に保たれているときは安定した状態を維持し、硬質の自己支持構造を形成するために十分な湿気に晒されると硬化するものであって、ポリイソシアネート、ポリオール、触媒及び安定剤より成る
ことを特徴とする医療用包帯製品。
【請求項１１】
医療用包帯製品を製造する方法であって、以下の工程からなることを特徴とする。
（ａ）湿気不浸透性パッケージと、パッド層内に入れられた基材であって発泡層と布地補強層とで構成された基材を含む長尺の医療用包帯材料とを提供する工程、
（ｂ）実質的に湿気がない状態が保たれているときは安定した状態を維持し、十分な湿気に晒すと硬質の自己支持構造を形成するように硬化する反応システムを基材に含浸またはコーティングする工程、
（ｃ）パッケージ内に医療用包帯材料を配置する工程、
（ｄ）使用まで湿気の進入を防止するためスリーブを封止する工程。
【請求項１２】
前記パッケージは長尺のスリーブで構成され、
医療用材料は一般的にスリーブと同じ長さであり、
パッケージ内に包帯材料を配置する工程は、包帯材料がスリーブの長さ方向に沿って単一層を延長するように、スリーブ内に包帯材料を配置する工程からなる
ことを特徴とする請求項１１記載の方法。
【請求項１３】
前記布地補強層のいくつかの繊維を、包帯材料に剛性と安定性を与えるために発泡層に貫入させる工程を含むことを特徴とする請求項１１記載の方法。
【発明の詳細な説明】
【技術分野】
【０００１】
本出願は、２００４年３月３１日に出願された米国仮出願番号６０／５５７，９８６号及び２００４年４月２日に出願された米国仮出願番号６０／５５９，１７３号の出願の利益を主張する。
【０００２】
本発明は、一般的に、整形外科医療領域と関係があり、特に湿気硬化型プラスチック材料で作成された改良型医療用包帯製品及び材料の設計、改良型医療用包帯等の製造方法、及び改良型包帯製品を製造し、処置する方法に関連する。
【背景技術】
【０００３】
身体の一部を固定する必要がある骨折等の怪我の治療に使用する医療用包帯は、一般的に、帯状物で身体部位の周囲を覆った後、硬質構造体に硬化させる材料を含浸させた織布の帯状物または綿織物素材から構成される。こうした処理に従来から使用されている硬化材は、焼石膏である。
【０００４】
従来の処置は、最初に綿織布またはこれらに類似した保護カバーを怪我をした部位（例えば手足）に処置し、その後、処置直前に水に浸して湿らせた焼石膏を含浸させた織布によって、カバーとその部位の上から包み込み、怪我をした部位にギブスや副木を形成するものであった。この処置は、未だに広く使用されているが、いくつかの重大な欠点を有している。例えば、上述した処置方法は、不清潔であり、時間を浪費する。いくつかの用具が必要とされ、熟練した技術が必要である。
【０００５】
焼石膏からなるギブスや副木の従来の処理方法に対して、上記に掲げた欠点を多少なりとも軽減するために、一体型の副木用材料が、例えば、米国特許番号３，９００，０２４、３，９２３，０４９及び４，２３５，２２８号に開示されている。これら全ての特許は、布地に焼石膏を含浸させた複数の層を有するパッド材料について記述されている。こうした一体型の副木材料は、不清潔ではなく、より迅速に処理することができるが、焼石膏によるギブス材料では、複数の本質的な欠点をいまだ有していた。全ての焼石膏の副木は、結果的にとても重くかさばった副木となる重量比率であるのに、相対的に強度は低いものである。焼石膏は硬化が遅く、最大強度に達するまでに２４から７２時間必要とする。焼石膏は水中では崩壊してしまうので、入浴やシャワーを浴びるのは困難である。こうした原因を引き起こす湿潤を回避することができたとしても、長期間による発汗は、焼石膏を破壊する可能性があり、においやかゆみといった重大な問題を引き起こす可能性もある。
【０００６】
ギブスや副木の分野で優れた改良物が米国特許番号４，４１１，２６２号、４，５０２，４７９号に開示されている。これらの特許に開示されたギブス材料は、湿気のない状態で、湿気不浸透性のパッケージに封入された湿気硬化型樹脂を含浸した柔軟な織布で構成される。焼石膏と比較して、こうした製品は、非常に軽量で、重量比に対して非常に強度が高く、比較的多孔質で空気をギブス材料内に流出入できるように製造することができる。湿気硬化システムにおける先行技術は、湿気硬化型樹脂で含浸されたファイバーグラスのような複数の織布層を収容したパッケージを含む。パッケージを再び閉じるために製造された器具はなく、そのため、こうした湿気硬化樹脂が大気中の湿気と接触するだけで、比較的短時間で硬化するため、パッケージから取り出した後は、材料全体を直ちに使用しなければならない。
【０００７】
出願人の所有する米国特許番号４，７７０，２９９及び５，００３，９７０号は、必要なときに所望する長さの包帯材料を分割することを可能とする一方で、後の使用のために残っている材料を封止するロール状の合成包帯製品について開示する。こうした製品は、多くの処置でとても効を奏していることが証明されている。それらは、両側にパッド材料を含んでいるため、それによって迅速かつ容易な処理を可能にする。一回の使用のための湿気不浸透性の袋状物にプレカットされて封止された同様の製品が販売されている。
【０００８】
上記の記述から、従来の焼石膏のギブスと、最近の湿気硬化型樹脂のギブスは、それぞれ利点と欠点の両方を有することが理解できる。一方で、焼石膏のギブスは、かさばり、重く、処置が難しいのに対して、湿気硬化型樹脂のギブスは軽く、耐久性があり、比較的処置が容易である。焼石膏は、完全に湿らない限り、比較的保存寿命が長いので、容易に保管でき、必要なときに使用することができる。他方で、湿気硬化型樹脂は、材料を様々な異なる形状や大きさで包装されるか、または使用されない部分が廃棄する必要があるほど、非常に微小な湿気の存在に対してとても敏感に反応し、相当の無駄を発生させ、製品の有効原価を増加させる。
【０００９】
しかしながら、現在のパッドのロール状合成製品は、比較的高価であり、医師の選択として、パッドをほとんど使用しないとか、副木のある箇所を他の部分とは異なる密度または厚さのパッドを使用するように制限する。
【００１０】
本発明は、こうした各々の欠点を回避するとともに焼石膏と湿気硬化型樹脂システムの両方の長所を組み合わせたものである。これは、改善された強度と利便さを備えた一体型の副木システムを提供することによって達成される。
【００１１】
従来の副木とギブス製品は、一般的に湿気硬化型樹脂を含浸させた布地基材を組み込んで製造されている。一般的に、こうした製品はしばしば製造工程の大部分となる編成工程を必要とする。骨折時の改良された支持部材または固定製品は、ポリマー発泡体単独で、または編み込み（knitting）、縫い合わせ（stitching）、ニードリング（needling）され、ラミネートされ、または接着によって形成された生地を組み合わせた材料で製造される。好ましくは、基材内では、少なくとも糸または繊維の一部をポリマー発泡体を通して、補強されたマトリックスを形成する。
【発明の開示】
【発明が解決しようとする課題】
【００１２】
従って、本発明の目的は、硬質の自己支持構造を形成するために湿気に晒すことで材料を硬化させる湿気硬化性樹脂をコートまたは含浸した発泡基材を有する医療用包帯製品を提供することである。
【００１３】
本発明の他の目的は、使用されるまで、残った材料の硬化を防止する一方で、任意の所望の長さに分割することができる医療用包帯製品を提供することである。
【００１４】
本発明の他の目的は、様々なパッド処理を可能とする副木またはギブステープとして使用され、または包帯の一体部品として処置または個別に処置されうる整形外科用の固定用包帯を提供することである。
【課題を解決するための手段】
【００１５】
本発明によれば、発泡体は化学的または物理的な手段によって作成される柔軟なタイプのポリマーである。本発明で利用される発泡体は、アクリル系、ニトリル系、ポリウレタン、スチレン−ブタジエンゴム、ＥＶＡ、ＰＶＡＣ、ネオプレン、ＰＶＤＣ、ＰＶＣ、ＰＥ等のポリオレフィン、またはこれらの化合物、及び混合物から作成される。発泡体の構造は、硬質、半硬質または柔軟な硬度を有する開放気泡、独立気泡または網状気泡がありうる。好適な構造は、インチ当たり４０〜１２０の気孔／開口を有する開放気泡である。
【００１６】
布地補強の主要な機能は、基材及び最終的な固定用製品に高い剛性と耐久性を提供することである。加えて、補強によって、所望の強度及び剛性を獲得するのに必要な樹脂部分の重量を減少させるのに役立つ。
【００１７】
本発明の前記目的及び有利な点は、以下に開示された好適な実施例から理解することができる。例えば、医療に使用するため、予め決められた適切な長さに分割することができるロール状の医療用包帯製品がある。これは、湿気の侵入を回避するための湿気不浸透性材料で封止可能に形成された細長いスリーブと、スリーブと実質的に同じ長さでスリーブの全長に沿って一つの長いスリーブ内に配置され、かつ使用されるまで湿気の侵入を防止された細長い医療用包帯材料と、で構成される。医療用包帯材料は、発泡体層で形成された基材と、基材内に含浸またはコートされた反応システムを有する布地補強層とで構成される。このシステムは、実質的に湿気がない状態が保たれているときは安定な状態が維持され、十分な湿気に晒されると硬質で自己支持構造を形成するように硬化する。保護用防水シートがその長手方向に沿って基材を収容し、保管中、基材とスリーブの間にバリアを形成し、スリーブから医療用包帯材料を取り出した後で患者に処置する前に、任意に除去される。基材は、基材と患者との間に保護パッド材料を介在させるようになされている。予め決められた長さの包帯製品が使用のために切り取られた後に、スリーブ内に残った基材の硬化を防止するために、湿気の侵入に対してスリーブを再封止する再封止手段が設けられている。
【００１８】
本発明の１つの好適な実施形態によれば、スリーブは、外側の耐裂性層、中央のアルミホイル層、内側の熱封止可能なプラスチック層を有するアルミホイルラミネートで構成される。
【００１９】
本発明の他の好適な実施形態によれば、発泡基材はポリマー発泡体で構成する。
【００２０】
さらに、本発明の他の好適な実施形態によれば、反応システムは、ポリイソシアネート、ポリオール、触媒及び安定剤の混合物で構成される。
【００２１】
さらに、本発明の他の好適な実施形態によれば、スリーブを再封止する再封止手段は、テープ、クランプ、スリーブの折り畳まれた端部を閉じた状態に維持するクリップ、およびスリーブを通す制限された開口部、からなる群から選ばれる。
【００２２】
さらに、本発明の他の好適な実施形態によれば、ロールは医療用包帯材料を内部に有するスリーブからなり、該スリーブがコイルを形成している。
【００２３】
好ましくは、本発明は、包帯材料のコイルが収容されている取出し容器を含む。
【００２４】
さらに、本発明の好適な実施形態によれば、取出し容器は、ロールが内側に配置された容器で構成され、容器にはコイルの先端が配置され、製品が必要とされるときに取り出されるスロットが画定されている。
【００２５】
さらに、本発明の他の好適な実施形態によれば、医療用包帯製品は、医療的な使用を提供するために予め定められた適切な長さでパッケージされているものが提供される。該製品は、湿気不浸透性材料で形成され、湿気の侵入を防止するため封止可能なスリーブと、スリーブ内に配置され、使用まで湿気の進入に対して封止されている医療用包帯とからなる。医療用包帯材料は、基材と、基材に含浸またはコートされた反応システムとからなる。このシステムは、実質的に湿気がない状態が保たれているときは安定した状態を維持し、十分な湿気に晒すと硬質の自己支持構造を形成するように硬化する。保護用防水シートは基材を収容し、保管中は基材とスリーブの間のバリアを形成し、スリーブから医療用包帯材料を取り出した後は、患者に処置する前に、任意に除去することができる。基材は、基材と患者の間に挿入される保護用パッド材料を設けることができるように適合されている。
【００２６】
さらに、本発明の他の好適な実施形態によれば、医療用に好適に使用するために予め設定された適切な長さを有する医療用包帯が提供される。これは、湿気の進入を防止するため封止可能な湿気不浸透性の材料で形成された袋状物で構成される。袋状物は、袋状物内に医療用材料を有し、かつ使用まで湿気の進入に対して封止された長細い再封止可能な取出し用スリーブを含む。医療用包帯材料は、複数の編まれたまたは織られたファブリック層で形成された基材と、基材に含浸またはコートされた反応システムで構成される。該システムは、実質的に湿気がない状態が保たれているときは安定した状態を維持し、十分な湿気に晒すと硬質の自己支持構造を形成するように硬化する。また、該システムは、ポリイソシアネート、ポリオール、触媒及び安定化剤の混合物で構成される。 
【００２７】
本発明に係る医療用包帯製品の製造方法の実施形態によれば、まず、細長い湿気不浸透性のスリーブと、パッド層内に収容された基材で構成される細長い医療用包帯材料とを用意する。該基材は、実質的に湿気がない状態が保たれているときは安定した状態を維持し、十分な湿気に晒されると硬質で自己支持可能な構造を形成するように硬化する反応システムを基材に含浸またはコーティングしている。そして、一般的にスリーブと同じ長さで、単一層内にスリーブの長さに沿って延長された長尺スリーブ内に、長尺医療用包帯材料を配置する工程により製造される。スリーブは、使用するまで湿気の進入を防止するため封止される。
【発明を実施するための最良の形態】
【００２８】
ここで特に図面を参照すると、本発明に係る医療用包帯製品が図１に表されており、参照番号１０によって全体が示されている。医療用包帯製品１０は、不織布ポリプロピレンのような柔らかいパッド１５内に挿入された基材１２を備える。基材１２は、以下に詳細に記述するように、湿気硬化型樹脂が含浸またはコーティングされている。基材１２及びパッド１５共に、医療用包帯材料１６を構成する。医療用包帯材料１６は、湿気のない状態のラミネートされたホイル／プラスチックスリーブ１８内に挿入され、製品が使用されるまで湿気のない状態を維持するためスリーブ１８内に密封される。
【００２９】
基材１２は、好ましくはポリマー発泡体層１３を使用して製造され、ポリマー単独で、または編み込み、ニードリング、ラミネートまたは接着によって形成された被覆布地補強層１４と共に使用して製造される。好ましくは、基材１２に、布地補強層１４の糸または繊維の少なくとも１部が、ポリマー発泡層１３を通じて貫入しているとよい。それによって、より強化されたマトリックスを生成する。補強層は、またスリーブ１８の内側で、発泡体層１３から隔てるための防止シートとして供給してもよい。
【００３０】
本発明によれば、ポリマー発泡体層１３は、化学的または物理的手段によって形成された柔軟なポリマーである。本発明で利用される発泡体は、アクリル系、ニトリル系、ポリウレタン、スチレン−ブタジエンゴム、ＥＶＡ、ＰＶＡＣ、ネオプレン、ＰＶＤＣ、ＰＶＣ、ＰＥ等のポリオレフィン、またはこれらの混合物から形成される。発泡体の構造は、硬質、半硬質または柔軟な硬度を有する開放気泡、独立気泡または網状気泡を用いることができる。好適な構造は、インチ当たり４０〜１２０の気孔／開口を有する開放気泡である。
【００３１】
布地補強層１４の主要な機能は、基材１２及び最終固定製品に高い剛性と耐久性を与えることである。加えて、補強層１４によって与えられた補強は、所望の強度及び剛性を得るために必要とされる樹脂部分の重量を減少させるのに寄与する。発泡体層１３を綴じ、編み、ニードルし、ラミネートしまたは接着するために使用される繊維または糸は、ポリエステル、ポリプロピレン、ポリエチレン、綿、ナイロン、アラミド繊維またはファイバー、羊毛、亜麻、黄麻、及びグラスまたはその他の合成材料等の様々な有機または非有機ファイバーを使用することができる。繊度（count of fibers）は、１００デシテックス（ｄｔｅｘ）から２０００デシテックスの範囲で、好ましくは２５０から１５００デシテックスの範囲である。編み込み、綴じ込み、またはニードリングによる補強基材の構造は、長さまたは縦方向に糸の間隔が、１インチ当たり５〜５０、より好ましくは１インチ当たり１２〜２４であるように構成される。
【００３２】
基材１２の総重量は、２０〜５００ｇ／ｍ２、最も好ましくは２０〜２５０ｇ／ｍ２であり、これらに限定されるものではない。発泡体層は、好ましくは０．５ｍｍから６ｍｍの間の厚さ、より好ましくは４mmの厚さを有するものとすべきである。この数値より厚い発泡体は、人体構造に適合させるには厚すぎ、かさばった固定器具を形成する傾向がある。こうした点から、開放気泡は概算で１インチ当たり２０〜１５０の気泡、より好ましくは１インチ当たり６５〜８５の気泡を有するのが好ましい。
【００３３】
他の実施形態では、発泡体層１３は、発泡体の製造工程中に有機または無機の充填材を添加し、または発泡体基材中に外部の木粉、チョップドファイバー、ガラス、シリカ、マイクロファイバー、微粒子等の有機または無機の充填材を加えることによって補強し、所望のレベルの強度及び剛性を得ることもできる。充填材の添加は、発泡体基材の気体透過性及び気孔率を改善することに寄与する。低密度ファイバーまたは微粒子は最終製品の重量を減少させるのに寄与する。充填材の添加量は、選択した充填材の種類や所望する最終的な硬さにより決定される。好ましい充填材の添加量は、１５〜８５体積％の幅で変化させることができる。
【００３４】
撚った繊維や糸によって編み込まれ、ニードルされ、ラミネートされ、または接合されるか、或いは充填材を添加された強化発泡基材１２は、硬化性樹脂、より好ましくは空気または水によって硬化されうるイソシアネート樹脂により含浸される。
【００３５】
基材１２は、実質的に湿気がない状態が保たれているときは安定した状態を維持し、十分な湿気に晒したときには硬質で自己支持構造を形成させるように硬化する反応システムを、含浸またはコーティングされている。典型的な反応システムの構成は、以下に述べる通りである。
【００３６】
典型的構成
2007530218.tif 000003
【００３７】
反応システムのパラメーターの詳細な記述、製造方法及び適用される数値は、米国特許番号４，４１１，２６２号に開示される。
【００３８】
ポリイソシアネート樹脂は、樹脂が湿気に晒されない限り、粘性状態を維持する。これは樹脂が湿気に晒されない間は、基材を柔軟かつ成型し易い状態に保ち、湿気に晒された後は短時間で硬化することを可能にする。樹脂が硬化する速度は、樹脂が晒された水の量によってある程度コントロールすることができる。水の中に樹脂を浸すと、短時間で樹脂は急速に硬化を引き起こすであろう。対照的に、単に大気中に晒すと、樹脂が晒される大気内の湿度に比例して非常にゆっくりとした反応速度を有する硬化過程となる。
【００３９】
医療用包帯製品１０は、図２に示されるように、予め任意にカットされた使い勝手のよい長さで販売することも可能である。また図４及び図５に示されるように、コイルに巻かれて、適当な取出し容器２５内に配置されて、例えば２４フィート等の長さで販売することもできる。取出し容器２５は包帯製品１０を取り出すことのできるスロット２６が低位のコーナー部に設けられている。
【００４０】
図６及び７に示されているように、ボックス２５から分取された後の医療用包帯材料１６は、ホイルスリーブ１８から取り出される。そして、前述したように湿らせ、適合する形状に処理成形されて、患部に適用される。そのとき、弾性を有する包帯“Ｂ”は、硬化中に適合した形状に材料１６を保持するため、材料１６の周囲に巻かれる。この処置は樹脂が晒される湿度に応じて数分の間に実施される。硬化すれば、医療用包帯材料１６は、治療期間中、包帯“Ｂ”ともに患部を保持し、入浴あるいは副木交換など、必要なときに除去することができる副木として形成される。
【００４１】
湿気硬化型プラスチック材料で形成された医療用包帯製品と材料、そのような改良された医療用包帯の製造方法及び改良された包帯製品の製造及び適用の方法は、上述の通りである。本発明の詳細な構成は、本発明の趣旨を逸脱しない範囲で変更されうる。さらに、前述の発明の好ましい実施形態、特徴および発明を実施するためのベストモードは、図示のみの目的で示されたものであり、限定する目的のものではない。
【図面の簡単な説明】
【００４２】
【図１】図１は、湿気不浸透性ホイルスリーブを含む医療用包帯製品の実施形態の斜視図である。
【図２】図２は、医療用包帯材料のある長さの斜視図である。
【図３】図３は、図２に示された医療用包帯材料の垂直断面図である。
【図４】図４は、取出し用容器の実施例を含んだ、医療用包帯製品の斜視図である。
【図５】図５は、使用後のホイルスリーブを閉じる方法を示している図４に示された医療用包帯製品の斜視図である。
【図６】図６は、本発明に係る医療用包帯材料を準備し、処置する好適な方法を示す図である。
【図７】図７は、弾性を有する包帯で処置する方法を示す図である。
【図１】
2007530218.tif 000004
【図２】
2007530218.tif 000005
【図３】
2007530218.tif 000006
【図４】
2007530218.tif 000007
【図５】
2007530218.tif 000008
【図６】
2007530218.tif 000009
【図７】
2007530218.tif 000010
【国際調査報告】
2007530218.tif 000011
2007530218.tif 000012